(57)【要約】【課題】押し除け量可変液圧ユニットにおけるローラベアリングのスリップを防止する。【解決手段】押し除け量可変液圧ユニットのためのローラベアリングであって、インナーレースと、アウターレースと、これらレースの間に設けられ、複数のローリング可能な要素を保持するケージとを有する。リンクがケージの弧状運動を制限できるように、インナーレースおよびアウターレースに、リンクが取り付けられている。【選択図】図１
2006145040.tif 000002
【特許請求の範囲】
【請求項１】
インナーレースと、
アウターレースと、
前記インナーレースとアウターレースとの間に位置する複数のローラを有するケージと、
前記インナーレースおよびアウターレースに取り付けられたリンクとを備える、押し除け量可変ユニット内で使用されるローラベアリング。
【請求項２】
前記インナーレースは、それに取り付けられたピンを有し、前記アウターレースは、アウターレース取り付けピンを有し、前記ケージは、ケージピンを有し、前記リンクは、前記アウターレースのピンが嵌合される孔、および前記ピンおよびケージピンが嵌合される細長いスロットを有し、よって前記リンクは、ケージの弧状運動を制限しうるようになっている、請求項１記載のローラベアリング。
【発明の詳細な説明】
【技術分野】
【０００１】
本発明は、押し除け量可変（容積可変とも称される）油圧ユニットの傾斜可能な斜板を支持するためのローラベアリングに関し、より詳細には、支持ハウジングと傾斜可能な斜板との間のスリップを防止するためのタイミング機構に関する。
【背景技術】
【０００２】
この技術分野では、押し除け量可変軸流ピストン式液圧ユニットは周知であり、このユニットは、回転するシリンダブロック内のピストンの変位を制御するための傾斜可能な斜板を有している。共通するタイプの傾斜可能な斜板として、ローラを有する弧状ベアリングによってハウジングの一端に支持されたクレードルタイプの斜板を挙げることができる。
【０００３】
共通ローラベアリングを使用する際に、ローラが専らローリング運動するようにするには、ローラベアリングケージの弧状変位量を、クレードル斜板の弧状変位量の半分にしなければならない。
【０００４】
また更にローラベアリングは、弧状であり、完全な円形ではないので、斜板の軸方向のスラスト力に抗するために、斜板の傾斜運動の繰り返しによって、ハウジングとクレードル斜板との間にあるローラが、所望する最適な支持位置の外へスリップしてしまうことがある。
【発明の開示】
【発明が解決しようとする課題】
【０００５】
ローラベアリングが、このような悪い位置にスリップしないようにするために、従来、種々の方法が考えられている。例えば、ベックジュニアを発明者とする米国特許第４、６２７、３３０号では、ハウジングと斜板との間に固定されたリンクを使用している。
【０００６】
このベックジュニアの発明を実施すると、いくつかの問題が生じる。例えば、多くのゆるい部品を組み立て、斜板とケージとハウジングとを整合させなければならないので、この装置の組立作業は複雑である。また、ベックジュニアの米国特許に開示されているタイミングリンクは、ハウジングの中に、リンク部材を収容するためのスペースを必要とし、そのため、ハウジングの長さを長くしなければならない。
【０００７】
従って、本発明の主な目的は、従来技術を改良した、改善されたタイミング機構を、ローラベアリングに設けることにある。
【０００８】
本発明の別の目的は、製造および組み立てがコスト的に有効なローラベアリングを提供することにある。
【０００９】
本発明の別の目的は、斜板にかかる負荷を小さくするベアリングを提供することにある。
【００１０】
本発明の別の目的は、ベアリングが使用する部品の数を少なくしたベアリングを提供することにある。
【００１１】
本発明の更に別の目的は、収容するのにハウジング内で必要なスペースを、最小にしうるタイミング機構を提供することにある。
【００１２】
本発明の更に別の目的は、組み立てが容易なタイミング機構を提供することにある。
【課題を解決するための手段】
【００１３】
本発明による斜板を有する押し除け量可変ユニットのためのローラベアリングは、インナーレースと、アウターレースと、前記インナーレースと前記アウターレースとの間に位置する複数のローラを備えるケージとを有する。
【００１４】
前記インナーレースは、それに取り付けられたピンを有し、前記アウターレースは、それに取り付けられたピンを有し、前記ケージは、ピンを有し、前記リンクは、前記アウターレースのピンが嵌合される孔、および前記レースのピンおよびケージのピンが嵌合される細長いスロットを有し、よって前記リンクは、ケージの弧状運動を制限するようになっている。
【発明を実施するための最良の形態】
【００１５】
押し除け量可変液圧ユニット１２では、ローラベアリング１０が使用されている。液圧ユニット１２は、ポンプまたはモータのいずれでもよく、複数のシリンダボア１６を備える回転可能なシリンダブロック１４を有し、ボア内には、往復動するピストンが収容されている。シリンダブロック１４は、シャフト２０に固定されており、中心軸線２２を中心として回転する。
【００１６】
ハウジング２４の一端には、クレードル斜板２６が位置し、この斜板は、傾斜運動またはピボット運動をするようになっている。クレードル斜板２６は、その傾斜運動がピストン１８の軸方向の変位を制御するように、ピストンスリッパー３０と係合する平面状のカム表面２８を有する。
【００１７】
クレードル斜板２６は、ローラベアリング１０により、ハウジング２４に取り付けられている。ローラベアリング１０は、インナーレース３６とアウターレース３８との間に位置するローラ３４のような複数のローリング運動可能な要素を有する。
【００１８】
インナーレース３６は、クレードル斜板２６のカム表面２８に係合するが、一方、アウターレース３８は、ピン４０ａ、４０ｂ、４０ｃにより、ハウジング２４の弧状部分に固定されている。
【００１９】
個々のローラ３４の間の弧状スペースを維持するために、ローラベアリング１０は、それぞれのローラ３４のためのケージとして働くリテーナ４２を有することが好ましい。このリテーナ４２は、個々のローラ３４を弧状に位置決めする複数のスロット４４を有する。インナーレース３６とケージ４２とアウターレース３８は、アセンブリ１０に沿うどの場所にも位置する複数のタブ４６によって、共に保持されている。
【００２０】
リテーナまたはケージ４２は、支持された部品の相対移動量の半分であることが好ましい。従って、クレードル斜板では、例えば本発明の場合のように、ケージ４２の弧状移動量を、クレードル斜板２６の弧状移動量の半分に限定することが好ましい。
【００２１】
タイミング機構４８は、多くの型式とすることができるが、一端がインナーレース３６に取り付けられ、他端がアウターレース３８に取り付けられた細長いリンク５０であることが好ましい。より詳細には、インナーレース３６と、ケージ４２と、アウターレース３８は、これらから外側に延びる取り付けピン４０ａ、４０ｂ、４０ｃを有する。
【００２２】
細長いリンク５０は、アウターレースのピン４０ａが嵌合された孔５２を一端に有し、更にリンク４０の中心に沿って延び、インナーレースピン４０ｂおよびケージピン４０ｃが嵌合される細長いスロット５４を有する。
【００２３】
作動時に、斜板２６がローラベアリング１０上で傾斜または枢動すると、インナーレース３６の相対運動によって、リンク５０はアウターレースのピン４０ａを中心として枢動するが、他方、インナーレースのピン４０ｂおよびケージのピン４０ｃは、インナーレースのピン４０ｂがスロット４４の端部に到達し、よって、インナーレース３６およびケージ４２が更に回転運動しないように制限するまで、スロッ４４内で、スライドする。
【００２４】
従って、リンク５０は、斜板２６に対して移動するインナーレース３６と、ケージ４２と、ハウジング２４に固定されたアウターレース３８との間の整合を維持する。
【００２５】
このように、３つの要素の間のタイミングは、インナーレースのピン４０ｂと、ケージ４２と、アウターレースのピン４０ａとの間のスペースによって決定される。
【００２６】
本願は、２００４年１１月２４日に米国特許庁に出願された米国仮特許出願第60/630,792号に基づくものである。
【図面の簡単な説明】
【００２７】
【図１】本発明のローラベアリングを使用する液圧ユニットの断面図である。
【図２】ローラベアリングの斜視図である。
【図３】インナーレースを除いたローラベアリングの斜視図である。
【図４】押し除け量可変ユニットの斜板に設けられたローラベアリングの側面図である。
【符号の説明】
【００２８】
１０    ローラベアリング
１２    液圧ユニット
１４    シリンダブロック
１６    ボア
１８    ピストン
２０    シャフト
２２    中心軸線
２４    ハウジング
２６    クレードル斜板
２８    カム表面
３０    ピストンスリッパー
３４    ローラ
３６    インナーレース
３８    アウターレース
４０ａ、４０ｂ、４０ｃ    取り付けピン
４２    ケージ
４４    スロット
４８    タイミング機構
５０    リンク
５２    孔
５４    スロット
【図１】
2006145040.tif 000003
【図２】
2006145040.tif 000004
【図３】
2006145040.tif 000005
【図４】
2006145040.tif 000006